(57)【要約】【課題】本発明は、洗剤を残さずに流し込むことができる洗剤流込装置を提供すること。【解決手段】本発明は、洗剤を受ける洗剤受ケースと、この洗剤受ケースに注水する注水手段とを有する洗剤流込装置において、洗剤受ケースは、洗剤受底部と、この洗剤受底部に設けた流出口とを有し、かつ洗剤受底部は流出口に向けて下る傾きに形成され、注水手段による注水が、流出口側になる洗剤受底部の低いところから高いところに移るように行なわれることを特徴とする。【選択図】図３
2006198291.tif 000002
【特許請求の範囲】
【請求項１】
洗剤を受ける洗剤受ケースと、この洗剤受ケースに注水する注水手段とを有する洗剤流込装置において、
前記洗剤受ケースは、洗剤受底部と、この洗剤受底部に設けた流出口とを有し、かつ洗剤受底部は流出口に向けて下る傾きに形成され、
前記注水手段による注水が、前記流出口側になる前記洗剤受底部の低いところから高いところに移るように行なわれることを特徴とする洗剤流込装置。
【請求項２】
洗剤を受ける洗剤受ケースと、この洗剤受ケースに注水する注水手段とを有する洗剤流込装置において、
前記洗剤受ケースは、洗剤受底部と、この洗剤受底部に設けた流出口とを有し、かつ洗剤受底部は流出口に向けて下る傾きに形成され、
前記注水手段による注水範囲が、前記流出口側になる前記洗剤受底部の低いところから高いところに拡大推移することを特徴とする洗剤流込装置。
【請求項３】
洗剤を受ける洗剤受ケースと、この洗剤受ケースに注水する注水手段とを有する洗剤流込装置において、
前記洗剤受ケースは、洗剤受底部と、この洗剤受底部に設けた流出口とを有し、かつ洗剤受底部は流出口に向けて下る傾きに形成され、
前記注水手段は、前記洗剤受底部の上面に向けるように設けられる複数の注水管を含み、
前記複数の注水管は前記流出口側になる前記洗剤受底部の低い方から高い方に並ぶように配置され、
前記複数の注水管には夫々注水電磁弁を備え、
前記注水管からの注水が低い方から高い方に行なわれて行くように前記注水電磁弁の開放作動を順に行なうことを特徴とする洗剤流込装置。
【請求項４】
洗剤を受ける洗剤受ケースと、この洗剤受ケースに注水する注水手段とを有する洗剤流込装置において、
前記洗剤受ケースは、洗剤受底部と、この洗剤受底部に設けた流出口とを有し、かつ洗剤受底部は流出口に向けて下る傾きに形成され、
前記注水手段は、複数の貯水室を有する注水容器を含み、
前記注水容器は、前記貯水室の底部に設けた注水流下口が前記洗剤受底部の上面に向くように置かれ、
前記複数の貯水室は、前記流出口側になる前記洗剤受底部の低い方から高い方にかけて並ぶように配置され、
前記洗剤受底部の低いところに対応する前記貯水室に給水する給水手段を設け、
前記給水手段の吸水により前記貯水室を満して溢れる溢水が順次隣接する高い方の貯水室を移ることを特徴とする洗剤流込装置。
【請求項５】
請求項４記載の洗剤流込装置において、
前記洗剤受底部の低いところに対応する前記貯水室から高いところに対応する前記貯水室に移行するにしたがって前記貯水室の貯水容積が小さくなることを特徴とする洗剤流込装置。
【請求項６】
請求項４記載の洗剤流込装置において、
前記貯水室の底にあたる前記注水容器の底部は、前記洗剤受底部の低い方に対応するところから高い方に対応するところに行くに従い上る傾斜になっていることを特徴とする洗剤流込装置。
【請求項７】
請求項４記載の洗剤流込装置において、
前記複数の貯水室を仕切る仕切り堰を有し、
前記仕切り堰の高さ位置は、溢水の順が後になるにしたがって低くなることを特徴とする洗剤流込装置。
【請求項８】
請求項４記載の洗剤流込装置において、
前記注水流下口の大きさは、前記洗剤受底部の低い方に対応するところから高い方に対応するところに移るにしたがって大きくなることを特徴とする洗剤流込装置。
【請求項９】
洗剤を受ける洗剤受ケースと、この洗剤受ケースに注水する注水手段とを有する洗剤流込装置において、
前記洗剤受ケースは、洗剤受底部と、この洗剤受底部に設けた流出口とを有し、かつ洗剤受底部は流出口に向けて下る傾きに形成され、
傾き方向に複数の注水口を配列したことを特徴とする洗剤流込装置。
【発明の詳細な説明】
【技術分野】
【０００１】
本発明は、主に洗濯機の洗剤投入に用いる洗剤流込装置の改良に係わるものである。
【背景技術】
【０００２】
洗濯機の洗剤投入ないし洗剤流込装置は、例えば、特許文献１（特開２００１−４６７９４号公報）に示されるような構成を有する。また、図５に示すような構成の洗剤流込装置もある。
【０００３】
【特許文献１】特開２００１−４６７９４号公報
【発明の開示】
【発明が解決しようとする課題】
【０００４】
図５に示す洗剤流込装置は、洗剤受ケースに置かれる粉末の洗剤に注水管から水を注ぎ、流出口から洗たく槽に洗剤を流し込む。
【０００５】
しかし、洗剤受ケースの洗剤受底部が、流出口に向かって下り傾斜になっているのにも係わらず、中程に存在する洗剤が流されずに残ってしまう。
【０００６】
注水管からの注水は洗剤が飛び散らない程度に抑えるので、外回りから流して行くうちに、中程の洗剤が水分を吸って洗剤受底部にこびり付いてしまうからである。
【０００７】
本発明は、上記の問題に鑑み、洗剤を残さずに流し込むことができる洗剤流込装置を提供することを目的とする。
【課題を解決するための手段】
【０００８】
本発明は、洗剤を受ける洗剤受ケースと、この洗剤受ケースに注水する注水手段とを有する洗剤流込装置において、洗剤受ケースは、洗剤受底部と、この洗剤受底部に設けた流出口とを有し、かつ洗剤受底部は流出口に向けて下る傾きに形成され、注水手段による注水が、流出口側になる洗剤受底部の低いところから高いところに移るように行なわれることを特徴とする。
【発明の効果】
【０００９】
本発明によれば、洗剤を残さずに流し込むことができる。
【発明を実施するための最良の形態】
【００１０】
本発明の実施形態に係わる実施例について、図を引用して説明する。
【００１１】
まず、図１、図２、図３に沿って説明する。
【００１２】
洗濯機本体外枠１は、上部にトップカバー２を有する。トップカバー２は、洗濯物を出し入れする外蓋３を有する。トップカバー２の後部内側には、図２に示すように洗剤流込装置が備わる。
【００１３】
洗剤流込装置は、洗剤受ケース３と、注水手段４とを有する。注水手段４は、洗剤受ケース３の上側に置かれる。後部上カバー５には、洗剤投入蓋６を有する。洗剤投入蓋６を開いて洗剤を洗剤受ケース３に入れる際には、注水手段４を移動させるので、洗剤の投入の妨げにならない。
【００１４】
洗剤受ケース３は、図３に示すように、洗剤受底部７と、この洗剤受底部７に設けた流出口８とを有する。洗剤受底部７は流出口８に向けて下る傾きをもつように形成されている。傾きの角度θは、５°〜１５°程度である。
【００１５】
また、洗剤受ケース３は、洗剤受底部７の周縁に周縁壁９を有する。周縁壁９は、洗剤受底部７に注ぐ水の溢れ防止堤になるとともにプラスチックで作られる洗剤受ケース３の補強にもなる。
【００１６】
注水手段４は、複数の注水管１０Ａ．１０Ｂ．１０Ｃ、注水管に備える注水電磁弁１１を有する。複数の注水管１０Ａ．１０Ｂ．１０Ｃは、一本の給水供給管１２に連通する。複数の注水管は、洗剤受底部７の上面に向けるように設けられるので、注水管の注水は洗剤受底部７に注がれる。
【００１７】
前記複数の注水管１０Ａ．１０Ｂ．１０Ｃは、流出口８側になる洗剤受底部７の低い方から高い方に並ぶように配置される。
【００１８】
次に洗剤の流し込みについて述べる。
【００１９】
図３に示すように、洗剤受ケース３の洗剤受底部７には、粉末洗剤１３が投入されて置かれる。
【００２０】
流出口８側になる洗剤受底部７の低い方から注水が開始される。注水は、注水管１０Ａの注水電磁弁１１を開放作動することにより行なわれる。注水管１０Ａの注水開始後、１〜２秒経過したら注水管１０Ｂの注水をする。注水管１０Ｂの注水開始後、１〜２秒経過したら注水管１０Ｃの注水をする。各注水管の注水量は、１〜５リッター／分程度である。
【００２１】
このように流出口８側にあたる洗剤受底部７の低い方から高い方に順次注水をすることにより、洗剤受底部７に置かれた洗剤の山が、低い方から順次に取り崩し流されて残らず流出口８に流される。このため、従来のような中程の洗剤が洗剤受底部にこびり付いて残ってしまう不具合は生じない。
【００２２】
注水管の順次に開始される間隔は、１〜２秒程度が妥当である。この間隔を１０秒以上開けると、洗剤に水分がしみて流れ難くなる。また、注水量は１〜５リッター程度が妥当である。注水量を多くすると、洗剤が飛散るので、流し込みが出来なくなる。
【００２３】
上記によれば、注水管１０Ａ．１０Ｂ．１０Ｃによる注水が順加わるので、注水範囲が洗剤受底部７の低いところから高いところに拡大推移するようになる。
【００２４】
これに代え、次の注水が始まったら前の注水管の注水電磁弁を閉じて止めて、注水が移るようにすることも可能である。注水範囲を拡大推移させる前者の方が、短時間で流し込みが良く行なわれる。
【００２５】
他の実施例について、図４を引用して述べる。
【００２６】
この実施例は、注水手段２０が先の実施例の注水手段と違う。
【００２７】
ここでは、注水手段２０について主に説明する。
【００２８】
注水手段２０は、注水容器２１、給水手段２２を有する。注水容器２１は、複数の貯水室２３Ａ．２３Ｂ．２３Ｃ．２３Ｄ．２３Ｅを有する。貯水室２３Ａ．２３Ｂ．２３Ｃ．２３Ｄ．２３Ｅは、仕切堰で仕切られている。
【００２９】
貯水室の底部に設けた注水流下口２４は、洗剤受底部７の上面に向くように置かれる。
【００３０】
注水容器２１に設けられる複数の貯水室２３Ａ．２３Ｂ．２３Ｃ．２３Ｄ．２３Ｅは、流出口８側になる洗剤受底部７の低い方から高い方にかけて並ぶように配置される。洗剤受底部７の低いところに対応する貯水室２３Ａの上側に給水手段２２が位置させる。
【００３１】
給水手段２２の給水により、貯水室２３Ａの注水流下口２４から水が流れ落ちる。給水手段２２の給水が、注水流下口２４から流れ落ちる水量よりも多いので、貯水室２３Ａ内に水が溜まる。貯水室２３Ａ内が一杯になると、溢水は仕切り堰を越えて隣の貯水室２３Ｂに流れ込む。
【００３２】
この貯水室２３Ｂの水流下口２４から水が落下するが、貯水室２３Ｂに流れ込む水量が多いので、貯水室２３Ｂが一杯になり、溢水が仕切り堰を越えて隣の貯水室２３Ｃに流れ込む。こうして、順次に溢水が進み、最後に、貯水室２３Ｅの注水流下口２４から水が流れる。
【００３３】
このため、貯水室２３Ａ．２３Ｂ．２３Ｃ．２３Ｄ．２３Ｅの注水流下口２４から流れ落ちる水は、洗剤受底部７の低いところ貯水室から高いところに拡大推移する。この拡大推移する流下水により、洗剤受底部７に置かれた洗剤の山が、低い方から順次に取り崩し流されて残らず流出口８に流され、従来のような中程の洗剤が洗剤受底部にこびり付いて残ってしまう不具合は生じない。
【００３４】
また、貯水室２３Ａ．２３Ｂ．２３Ｃ．２３Ｄ．２３Ｅは、貯水室２３Ａの貯水容積が大きく、貯水室２３Ｅに向けて順次、貯水容積が小くなっている。つまり、洗剤受底部７の低いところに対応する貯水室から高いところに対応する貯水室に移行するにしたがって貯水室の貯水容積が小さくなっている。
【００３５】
貯水室２３Ａ．２３Ｂ．２３Ｃ．２３Ｄ．２３Ｅに流れ込む水量は、後の方になるに従い少なくなる。水量の減量に合わせて貯水室の貯水容積を順次小さくすることにより、貯水室２３Ａ．２３Ｂ．２３Ｃ．２３Ｄ．２３Ｅの注水流下口２４から流れ出す開始時期の間隔を等しくなるように近づけることができる。
【００３６】
さらに、貯水室２３Ａ．２３Ｂ．２３Ｃ．２３Ｄ．２３Ｅの底にあたる注水容器２１の底部は、洗剤受底部７の低い方に対応するところから高い方に対応するところに行くに従い上る傾斜になっている。このような傾斜を設けることで、貯水室２３Ａ．２３Ｂ．２３Ｃ．２３Ｄ．２３Ｅの貯水容積を順次小さくすることが簡単にできる。
【００３７】
また、複数の貯水室２３Ａ．２３Ｂ．２３Ｃ．２３Ｄ．２３Ｅを仕切る仕切り堰の高さ位置は、溢水の順が後になるにしたがって低くなる。仕切り堰の高さ位置が、順次低くなるので、溢水がスムーズに行なわれる。それに加え、貯水容積を順次小さくすることにもなる。
【００３８】
さらにまた、注水流下口２４の大きさは、洗剤受底部７の低い方に対応するところから高い方に対応するところに移るにしたがって大きくしている。このため、洗剤受底部７の高い方になるにしたがって落下水量が増えるので、洗剤が良く流される。
【図面の簡単な説明】
【００３９】
【図１】本発明の実施例を示すもので、洗濯機の斜視図である。
【図２】本発明の実施例を示すもので、洗濯機のトップカバーの斜視図である。
【図３】本発明の実施例を示すもので、洗剤流込装置と注水手段を示す図である。
【図４】本発明の他の実施例を示すもので、洗剤流込装置と注水手段を示す図である。
【図５】従来例を示す図である。
【符号の説明】
【００４０】
３…洗剤受ケース、４…注水手段、７…洗剤受底部、８…流出口。
【図１】
2006198291.tif 000003
【図２】
2006198291.tif 000004
【図３】
2006198291.tif 000005
【図４】
2006198291.tif 000006
【図５】
2006198291.tif 000007